(57)【要約】　　　（修正有）【課題】伝送されるデータ・パケット内にソース・デバイスが識別子を配置する送受信方法および装置を提供する。【解決手段】識別子は、宛先デバイス（１４）から送信されたフロー制御要求に応答する帯域内フロー制御受取応答データを含むことができる。送信されたデータ・パケットを宛先デバイス（１４）が受け取ると、宛先デバイス（１４）は、宛先デバイス（１４）で復号されるデータ・パケットに含まれるデータに基づいて処理を進める。復号されたデータ・パケットに、宛先デバイス（１４）からのフロー制御要求に応答する帯域内フロー制御受取応答データが含まれる場合、宛先デバイス（１４）は、受け取った帯域内フロー制御受取応答データに基づいてデータ・パケットを処理する。【選択図】　　　図２
2004048715.tif 000002
【特許請求の範囲】
【請求項１】
データ・パケット（１００）を送信するための方法であって、
データ・パケット（１００）の非ペイロード部分に、宛先デバイス（１４）向けのフロー制御受取応答を挿入する工程と、
宛先デバイス（１４）からのフロー制御要求に応答して送信されるフロー制御受取応答と共に、データ・パケット（１００）を宛先デバイス（１４）に送信する工程とを含む方法。
【請求項２】
データ・パケット（１００）を受信するための方法において、
宛先デバイス（１４）でデータ・パケット（１００）を受信する工程であって、各データ・パケット（１００）が、宛先デバイス（１４）からのフロー制御要求に応答するために非ペイロード部分にフロー制御受取応答を含む工程と、
受信したデータ・パケット（１００）を少なくとも１つのバッファ（２３）に格納する工程と、
少なくとも受信したフロー制御受取応答に基づいてデータ・パケット（１００）を処理する工程とを含む方法。
【請求項３】
前記フロー制御受取応答が、フロー制御要求が受け取られたこと、および特定のフローに関する送信が終了したことを示す情報を含む、請求項１または２のいずれか１項に記載の方法。
【請求項４】
前記フロー制御受取応答が、フロー制御要求が受け取られたこと、宛先デバイス（１４）がフロー制御要求の送信を続行しなければならないこと、および宛先デバイス（１４）へのデータ・フローが今後もアクティブのままであることを示す情報を含む、請求項１または２のいずれか１項に記載の方法。
【請求項５】
前記フロー制御受取応答が、データ・フローを再開するためのフロー制御要求が受け取られたこと、および宛先デバイス（１４）がデータ・フローの受取りを再開することを示す情報を含む、請求項１または２のいずれか１項に記載の方法。
【請求項６】
データ・パケット（１００）を送信するための装置（１０）であって、
データ・パケット（１００）の送信シーケンスを示す送信シーケンス番号をデータ・パケット（１００）に割り当て、さらに送信シーケンス番号用に割り振られたそれぞれのデータ・パケット（１００）の一部に、宛先デバイス（１４）向けのフロー制御受取応答を挿入する送信シーケンス生成器（６）と、
データ・パケット（１００）を宛先デバイス（１４）に送信する送信機（８）とを含み、フロー制御受取応答が、宛先デバイス（１４）からのフロー制御要求に応答して送信される装置。
【請求項７】
データ・パケット（１００）を受信するための装置（１４）において、
ソース・デバイス（１０）からデータ・パケット（１００）を受信する受信機（１６）であって、各データ・パケット（１００）がデータ・パケット（１００）の送信シーケンスを示す送信シーケンス番号を有し、各データ・パケット（１００）の一部が、装置（１４）向けのフロー制御受取応答も含む送信シーケンス番号用に割り振られる受信機と、
受信されたデータ・パケット（１００）を格納するバッファ（２３）と、
少なくともデータ・パケット（１００）の送信シーケンス番号に基づく受取応答およびフロー制御受取応答を出力する出力装置（１１）とを含む装置。
【請求項８】
前記フロー制御受取応答が、フロー制御要求が受け取られたこと、および特定のフローに関する送信が終了したことを示す情報を含む、請求項６または７のいずれか１項に記載の装置（１０、１４）。
【請求項９】
前記フロー制御受取応答が、フロー制御要求が受け取られたこと、宛先デバイス（１４）がフロー制御要求の送信を続行しなければならないこと、および宛先デバイス（１４）へのデータ・フローが今後もアクティブのままであることを示す情報を含む、請求項６または７のいずれか１項に記載の装置（１０、１４）。
【請求項１０】
前記フロー制御受取応答が、データ・フローを再開するためのフロー制御要求が受け取られたこと、および宛先デバイス（１４）がデータ・フローの受取りを再開することを示す情報を含む、請求項６または７のいずれか１項に記載の装置（１０、１４）。
【発明の詳細な説明】
【０００１】
【発明の属する技術分野】
本発明は、次世代ワイヤレス通信システムに関し、さらに詳細には、これらシステムのチャネル内でのフロー制御のための方法に関する。
【０００２】
【従来の技術】
通信システム、具体的に言えば、Ｕｎｉｖｅｒｓａｌ　Ｍｏｂｉｌｅ　Ｔｅｌｅｃｏｍｍｕｎｉｃａｔｉｏｎ　Ｓｙｓｔｅｍ（ＵＭＴＳ／汎用移動通信システム）規格においてよく知られたＨｉｇｈ　Ｓｐｅｅｄ　Ｄｏｗｎｌｉｎｋ　Ｐａｃｋｅｔ　Ａｃｃｅｓｓ（ＨＳＤＰＡ）仕様では、ソース・デバイス（たとえばＮｏｄｅ−Ｂまたは基地局）から１つまたは複数の宛先デバイス（たとえば移動局またはユーザ機器（ＵＥ））への伝送用に、たとえば、Ｈｉｇｈ　ＳｐｅｅｄＤｏｗｎｌｉｎｋ　Ｓｈａｒｅｄ　Ｃｈａｎｎｅｌ（ＨＳ−ＤＳＣＨ）などの移送チャネルが使用される。
【０００３】
一般に、ワイヤレス通信システムでのフロー制御は、ソース・デバイスから宛先デバイス（たとえばＵＥからＮｏｄｅ−Ｂ）への移送チャネルを介した伝送を調節するために必要である。フロー制御技法が宛先デバイスの受信機能を意味し、その結果、宛先デバイスでの輻輳およびパケット損失を回避するように、宛先デバイスでの待ち行列作成を管理するべきである。フロー制御により、宛先デバイス側での輻輳またはバッファ・オーバフローの結果としてのパケット廃棄による再伝送が減少または回避されるため、移送待ち時間および通信待ち時間の両方が削減される。
【０００４】
ＨＳＤＰＡでは、同様の理由で、すなわちＵＥ側での輻輳およびバッファ・オーバフローを避けるために、ＵＥへのデータのダウンリンク・フローを調節する必要がある。ＨＳＤＰＡでは、Ｎｏｄｅ−Ｂ側に存在する高速チャネル依存スケジューリングの性質により、問題はさらに深刻である。
【０００５】
ＨＳＤＰＡでは、効率の向上を目指して、ＵＥからのチャネル品質フィードバックに基づいた「高速」スケジューリングを提供するために、スケジューリング機能が無線ネットワーク制御装置（ＲＮＣ、たとえばシステム無線リソースを管理する責務を負ったＵＭＴＳコア側での中央固定式制御装置）から基地局またはＮｏｄｅ　Ｂに位置変更されている。さらに、より速いデータ速度およびより強い伝送の堅固さを提供することによって、システム全体の効率および能力を向上させるために、適応変調およびコーディング（ＡＭＣ）およびハイブリッド自動反復要求（ＨＡＲＱ）などの技術が導入されている。一般に、スケジューラは所与の時間に伝送するためのＵＥを選択し、適応変調およびコーディングを使用することで、ＵＥによって認められた現在のチャネル条件に適した移送フォーマット（変調およびコーディング）の選択が可能になる。
【０００６】
ＨＳＤＰＡでは、基地局に配置されたＭＡＣ−ｈｓ（媒体アクセス制御−高速）制御装置によって、たとえばスケジューラ、ＡＭＣ、およびＨＡＲＱ機能が提供される。ＭＡＣ−ｈｓは、電波インターフェース上を伝送されるデータを処理する責務を負うものである。さらにＭＡＣ−ｈｓには、ＨＳＤＰＡに割り振られた無線リンク物理リソースを管理するという責任を担う。一般に、ＭＡＣ−ｈｓが実行する機能には、スケジューリング／優先順位処理、Ｈｙｂｒｉｄ　ＡＲＱ、ならびに、たとえば変調、コーディング・スキーム（符号化手法）などの物理レイヤ移送フォーマットなどが含まれる。フロー制御エンティティは、ＭＡＣ−ｈｓでのＨＳＤＰＡ用に、ＭＡＣにも常駐することになる。
【０００７】
したがって、高速チャネル依存スケジューリング・スキームでは、ＵＥチャネル条件が非常に良い場合、大量のデータがＵＥに送られることがある。したがって、フロー制御メカニズムまたは技法は、ＵＥの受信機バッファでのオーバフローまたは輻輳を避けるために、現在のバッファ状況またはＵＥでの受信能力に関してＮｏｄｅ−Ｂに通知できるものでなければならない。
【０００８】
次に、オーバフロー状態が発生する可能性のある例について説明する。たとえばＵＥを使用して、たとえば、移動電話ならびにデスクトップ型およびノート型のコンピュータなど様々な外部通信デバイス間でユーザが簡単にワイヤレスの即時接続を実行できるようにするＢＬＵＥＴＯＯＴＨワイヤレス・プロトコルを介して、ラップトップ、パーソナル・ディスプレイ・アシスタント（ＰＤＡ）などの他のデバイスに接続する場合、ＵＥをパーソナル・ゲートウェイとして使用することができる。干渉が増加するにつれてビット・レートは低下するので、ＵＥと接続された外部デバイスとの間の無線リンクが一時的に減少する場合がある。
その結果、外部デバイスへのデータはＵＥで中止される。ＵＥでのバッファ・オーバフローを制御するために、Ｎｏｄｅ−Ｂの無線リソース制御装置（ＲＲＣ）とＵＥとの間の現在のリンク設定の構成を変更しなければならない。こうした構成の変更は、Ｎｏｄｅ−ＢがすでにＵＥへデータを追加するようにスケジューリングされている場合に実行可能である。ＵＥは、ＵＥ側のバッファが一杯になると、宛先デバイス向けのパケットをドロップする以外に選択肢がなくなる。パケットはＨＡＲＱによってすでに正しく伝送されているので、再送されると追加の遅延を引き起こし、それによって無線リソースを浪費することにもなる。
【０００９】
フロー制御技法は、これらのオーバフロー状態を回避できるものでなければならない。同様に重要なことには、フロー制御が、ソース・デバイスから発せられる複数のフロー上で、選択的なフロー制御を実行できるものでなければならない。複数の「フロー」またはアプリケーションを、ＵＥへのダウンリンク伝送で多重伝送することができる。これらのフローは、異なるかまたは同じアプリケーションからの、優先度レベルまたはクラスが異なるものであってよい。ＨＳＤＰＡでは、最大８つまでの優先度クラスがサポートされる。したがって、ＵＥ向けの複数のデータ・フローが存在し、フローのうちの１つだけでバッファ占有が限界である場合、システム・スループットを最大にするために、これらの異なるフローを区別することのできるフロー制御が重要である。
【００１０】
現在、アップリンク信号方式およびダウンリンク信号方式の両方のためのＵＥフロー制御について、帯域外信号方式ソリューションを使用するフロー制御メカニズムが提案されている。一般に帯域外信号方式は、制御チャネル内で制御メッセージを送信する。帯域外信号方式は、物理レイヤすなわちレイヤ１で生成されたメッセージを搬送する。その中に追加の信号方式が定義されていないこれらのメッセージは、データ・ペイロードの内容がわからない。
【００１１】
帯域内信号方式を使用するフロー制御メカニズムは、（１）帯域外アップリンクおよびダウンリンク信号方式、（２）帯域外アップリンクおよび帯域内ダウンリンク信号方式、ならびに（３）帯域内アップリンクおよび帯域内／帯域外ダウンリンク信号方式のうち、可能な組合せで具体化することができる。
【００１２】
一般に、アップリンク信号方式は、Ｎｏｄｅ−Ｂからのフロー・レートの削減、フローの終了、あるいは延期または保留に関するＮｏｄｅ−Ｂ要求へのＵＥフィードバックの伝送、またはＮｏｄｅ−ＢからＵＥへのフローの再開からなる。ＵＥは、バッファ・オーバフローによって生じるどんなパケットのドロップをも回避するために、アプリケーション・バッファが一杯になる前にこうした要求を送信する。Ｎｏｄｅ−Ｂは事前に定義された時間だけ、またはＮｏｄｅ−ＢがＵＥからフロー再開要求を受け取るまで、ＵＥへのデータ・フローを削減、終了、または保留することになる。
【００１３】
ＵＥからのアップリンクのＵＥフロー制御要求信号方式に加えて、フロー制御メカニズムの信頼性を高めるために、ＵＥによるフロー制御要求の受取応答メッセージを搬送するＮｏｄｅ−Ｂからの帯域外ダウンリンク信号方式をダウンリンク中で使用することができる。フロー制御に関するアップリンクＵＥ要求でのエラーは、回復不可能なエラー・ケースにつながる場合がある。ＨＳＤＰＡでは、電波インターフェース機能の向上はダウンリンク中のみであり、ＨＡＲＱプロセスおよびＡＭＣがまったく実施されないので、アップリンクは比較的エラーを発生しやすい。ＵＥはアップリンク要求でより大きなパワーを使用することができる。ただしシステムのＵＥパワー制限により、パワーを増強できない場合がある。さらに、ＵＥからの伝送パワーが大きくなると、より多くの干渉が発生することになり、その結果システム用の全アップリンク容量に影響を与える。
【００１４】
フロー制御に関するアップリンクＵＥ要求では、帯域内または帯域外のどちらかの信号方式が使用されることが予想される。ただし、現在ＨＳＤＰＡでは、新しいアップリンク移送チャネルは提案されておらず、信号方式の選択は前述の帯域外通信方法だけに制限される。
【００１５】
さらにダウンリンクでは、ＵＥフロー制御のために前述の帯域外フロー制御方法を使用する場合に、次のようないくつかの欠点がある。（ａ）データ・ペイロード・タイプについての情報がレイヤ１すなわち物理レイヤで利用できないため、異なるフローに対するフロー制御が提供できない。したがって、ＵＥに送られるすべてのフローに対してフロー制御が実行されなければならない。（ｂ）帯域外信号方式は、より多くのパワー要件を必要とするより複雑なコーディングおよび／または変調スキームを介した保護を必要とする。これらの複雑なスキームは、そうでなければ他の機能に使用可能な貴重な電波インターフェース・リソースを消費する。（ｃ）ＨＳＤＰＡでは、帯域外信号方式は、多くの利点の中で、高ドップラーでの堅固さも提供し、帯域外信号方式技法で使用されないターボ・コーディング利得を提供するＨＡＲＱ再送プロセスから、利益を得ることがない。したがって、優先度の異なるフローを区別しないフロー制御メカニズムまたは技法は、ＵＥへの優先度の異なるフローをそれぞれ同時に制御しなければならない。
【００１６】
【発明が解決しようとする課題】
本発明の一目的は、伝送されるデータ・パケット内にソース・デバイスが識別子を配置する、送受信方法および装置を提供することである。
【００１７】
【課題を解決するための手段】
識別子は、宛先デバイスから送信されたフロー制御要求に応答する帯域内フロー制御受取応答データを含むことができる。送信されたデータ・パケットを宛先デバイスが受け取ると、宛先デバイスは、宛先デバイスで復号されるデータ・パケットに含まれるデータに基づいて処理を進める。復号されたデータ・パケットに、宛先デバイスからのフロー制御要求に応答する帯域内フロー制御受取応答データが含まれる場合、宛先デバイスは、受け取った帯域内フロー制御受取応答データに基づいて処理を進める。
【００１８】
データ・パケットの送信方法を記載した一実施形態では、宛先デバイス向けのフロー制御受取応答がデータ・パケットの非ペイロード部分に挿入され、このデータ・パケットがフロー制御受取応答と共に宛先デバイスに送信される。フロー制御受取応答は、宛先デバイスからのフロー制御要求に応答して送信される。
【００１９】
送信されたデータ・パケットの受信方法を記載した一実施形態では、宛先デバイスが、宛先デバイス向けのフロー制御受取応答を含む部分を備えたデータ・パケットを受け取り、受け取ったデータ・パケットを少なくとも１つのバッファに格納し、受け取ったフロー制御受取応答データに基づいてデータ・パケットを処理するためにデータ・パケットを復号する。
【００２０】
【発明の実施の形態】
本発明の原理は、具体的に言えば、Ｕｎｉｖｅｒｓａｌ　Ｍｏｂｉｌｅ　Ｔｅｌｅｃｏｍｍｕｎｉｃａｔｉｏｎ　Ｓｙｓｔｅｍ（ＵＭＴＳ）規格においてよく知られたＨｉｇｈ　Ｓｐｅｅｄ　Ｄｏｗｎｌｉｎｋ　Ｐａｃｋｅｔ　Ａｃｃｅｓｓ（ＨＳＤＰＡ）仕様に基づくワイヤレス通信システムに適しており、この例示的コンテキストで説明するが、本明細書で図示および説明する実施形態は例示的なものに過ぎず、決して限定的なものでないことに留意されたい。したがって、当分野の技術者であれば他の伝送システムに応用するための様々な修正形態が明らかとなり、本明細書の教示によって企図される。さらに、以下の説明で使用されるユーザ機器（ＵＥ）はワイヤレス・ネットワークにおける移動局と同義であり、基地局とＮｏｄｅ−Ｂは区別なく使用することができる。本開示では、「異なるフロー」と「異なる優先度クラス」という句は区別なく使用される。
【００２１】
本発明によれば、ダウンリンクでの帯域内フロー制御技法は、ＵＥのフロー制御要求に応答するためのフロー制御受取応答メッセージを送信するために、ＭＡＣ−ｈｓＰＤＵパケットのヘッダを使用する。さらに、ＭＡＣ−ｈｓ　ＰＤＵに格納された帯域内制御受取応答メッセージ（ＡＣＫ）は、現在のフロー制御ＡＣＫが現在送信されている同じフローまたは優先度クラスに対してフロー制御を起動できるようにする（すなわちＭＡＣ−ｈｓペイロードが、フロー制御を必要とする同じフローのデータを含む）ものであり、またフロー制御ＡＣＫが現在送信されている現在のフローとは異なるフローに対してフロー制御を起動できるようにするものである。どちらの方法も、フロー制御ＡＣＫメッセージがフロー識別またはフローの優先度クラスに関連付けられているために達成することができる。したがって、ダウンリンク中のフロー制御のために帯域内信号方式を使用すると、フロー制御ＡＣＫメッセージに対する特定フローのデータが送信されるのを待つ必要なしに、ＵＥに送られる様々なフローのフロー制御が即時に可能となる。
【００２２】
フロー制御のための帯域内ダウンリンク信号方式の利点はいくつかある。第１に、ダウンリンク中でのフロー制御のための帯域内信号方式を使用すると、Ｎｏｄｅ−ＢがＵＥへのフローを選択的に制御できるようになり、その結果、１つのデバイスへの個々のフローを中断または削減し、他のフローを続行することができる。選択的制御は、遅延、サービス品質などの多くの要件に基づいて決定することができる。第２に、帯域内信号方式は、ＨＡＲＱオペレーションの堅固さ、ならびにＵＭＴＳのＨＳＤＰＡ用のＨＳ−ＤＳＣＨ移送チャネルなどのダウンリンク移送チャネル内に存在するターボ・コーディング利得から利益を得る。最終的に、ダウンリンク中の受取応答が、ＵＥからのフロー制御要求を処理するための信頼できる双方向通信を提供する。
【００２３】
図１は、本発明のフロー制御方法に従ったデータ・パケットの構造を示す図である。図１に示されるように、たとえば基地局とＵＥとの間でＨＳ−ＤＳＣＨを介して伝送可能なデータ・パケット１００のＭＡＣ−ｈｓ　ＰＤＵパケット構造がある。ＭＡＣ−ｈｓ　ＰＤＵは、ＭＡＣから物理レイヤに送られるＭＡＣ　ＰＤＵの均等物である。これは、ＭＡＣが受け取るペイロード、この場合はＭＡＣ−ｈｓペイロードと、ＭＡＣレイヤに付属される何らかのヘッダからなる。一実施形態では、パケット構造１００はヘッダ部分１１０およびＭＡＣ−ｈｓペイロード１３０を含むことができる。ヘッダ部分１１０には、データ・パケット内の特定のペイロードの優先度を示す優先度クラス・インジケータ（ＰＣＩ）１１１と、伝送時のデータ・パケットのシーケンスを示す帯域内送信シーケンス番号（ＴＳＮ）１１２と、以下でより詳細に説明する受取応答シーケンス番号（ＡＳＮ）１１３と、ＭＡＣ−ｈｓ　ＰＤＵを作成するためにＭＡＣ−ｈｓペイロード１３０が特定のパケット・サイズまで埋め込まれたことを示す埋込みインジケータ（ＰＩ）１１４と、コーディング・ビット数またはそれに加えて追加された埋込みサイズを示す埋込みブロック番号（ＰＢＮ）１１６とが含まれる。ＭＡＣ−ｈｓペイロード１３０には、上位レイヤから受け取った制御およびトラフィック・データが含まれる。
【００２４】
一実施形態によれば、本方法が、ダウンリンク中でのフロー制御用の帯域内信号方式を提供する。これは、データ・パケット中でＨＳ−ＤＳＣＨを介してたとえばＵＥに送信される、ＵＥのフロー制御要求に受取応答するための帯域内フロー制御受取応答データを挿入するために、ヘッダ１１０のＴＳＮ　１１２において追加の使用可能スペースを使用することによって実行される。ＵＥの要求に対するフロー制御受取応答は、オーバロードにならないようにするためにはどうすればよいかをＵＥに伝える。一例として、受取応答は、特定フローを終了するメッセージ、特定のフローを中断するメッセージ、特定のフロー・レートを削減するかまたは特定のフローを再開させる要求に対して単に受取応答するメッセージを含むことができる。フロー制御受取応答を帯域内で提供する場合、各データ・パケットのペイロードが優先度によって示され、帯域内フロー制御受取応答データが優先度ごとであることが保証される。これにより基地局は、ダウンリンク中で伝送される様々な優先度のデータ・パケットのフローを制御することができる。
【００２５】
この実施形態では、ダウンリンク中で帯域内フロー制御を提供することは、ＴＳＮと帯域内フロー制御受取応答の両方を含むのに十分なスペース（２６すなわち６４の可能値）を提供する、ＨＳＰＤＡ規格でのＴＳＮの現在のサイズ（６ビット）により可能である。
【００２６】
他の実施形態では、帯域内フロー制御受取応答を挿入するためにＴＳＮ　１１２でスペースを割り振る代わりに、他の機能を実行することに加えて、ＵＥのフロー制御要求に受取応答するためにＡＳＮ　１１３が使用される。これは、ＡＳＮに割り振られるフィールド・サイズに応じて、ＡＳＮ　１１３が十分なスペースを含むことから可能である。５ビットのＡＳＮの場合、ＡＳＮには３２の可能値が使用できる。したがって、たとえばこれらの値のうち１〜４を、ＵＥからの様々なフロー制御要求に受取応答するために使用することができる。
【００２７】
図２は、本発明のフロー制御方法を使用する送受信システムを示す論理構成図である。具体的に言えば、図２は、基地局からＵＥへのダウンリンク中での、データ・パケットの一般的な処理およびデータ・フローを説明するための図である。参照により全文が組み込まれた、２００１年１１月２６日付け出願のＨｕ等による「ＭＥＴＨＯＤ　ＡＮＤ　ＡＰＰＡＲＡＴＵＳ　ＦＯＲ　ＴＲＡＮＳＭＩＴＴＩＮＧ　ＡＮＤ　ＲＥＣＥＩＶＩＮＧ　ＤＡＴＡ　ＰＡＣＫＥＴＳ　ＴＯ　ＡＶＯＩＤ　ＳＴＡＬＬ　ＤＵＲＩＮＧ　ＲＥ−ＳＥＱＵＥＮＣＩＮＧ　ＯＦ　ＤＡＴＡ　ＰＡＣＫＥＴＳ」という名称の同時係属中の米国特許出願第０９／９９４４９０号に記載されているように、この送受信システムはＨＳＤＰＡ用に提案されたものであり、帯域内送信シーケンス番号（ＴＳＮ）および受取応答シーケンス番号（ＡＳＮ）を備えたデータ・パケットを含む。
【００２８】
図２に示されるように、ソース・デバイス（たとえば基地局またはＮｏｄｅ−Ｂ）１０は、媒体１２を介してデータ・パケットを宛先デバイス（たとえばユーザ機器（ＵＥ））１４に送信する。以下、ソース・デバイス１０を基地局と呼び、宛先デバイス１４をＵＥ　１４と呼ぶが、ＵＥがソース・デバイス、基地局が宛先デバイスであってもよいことを理解されよう。
【００２９】
基地局１０には、簡潔さおよび明瞭さのために図示されていない他の基地局回路からの伝送用のデータ・パケットを受け取る構文解析器２が含まれる。データ・パケットは１つまたは複数の論理チャネルから発信され、優先度クラスが割り当てられている。前述のように、各データ・パケットにはデータ・パケットの優先度クラス（１からＮ）を示すＰＣＩ　１１１が含まれる。図１で説明したように、ＰＣＩ　１１１はデータ・パケットのヘッダ部分に含めることができる。
【００３０】
構文解析器２は、データ・パケットのＰＣＩ　１１１に基づいて、データ・パケットをＮ個のバッファ４のうちの１つに解析する。バッファ４は、Ｎ個の優先度クラスのうち異なる１つに対して提供され、これに関連付けられるため、Ｎ個のバッファ４が提供される。たとえば構文解析器２は、優先度クラス１に関連付けられたバッファ４に１のＰＣＩを有するデータ・パケット１００を出力し、優先度クラス２を有するバッファ４に２のＰＣＩを有するデータ・パケット１００を出力するという具合である。
【００３１】
スケジューラ９は、バッファ４からデータ・パケットを受け取り、データ・パケット１００が送信機８によって送信されるようにスケジューリングする。具体的に言えば、スケジューリング・ユニット３は優先度クラスに基づいてデータ・パケット１００を受け取り、データ・パケットに送信順序を付ける。優先度クラスの高いデータ・パケットは、クラスの低いデータ・パケットより前に送信されるようにスケジューリングされ、優先度クラスの高いデータ・パケットは優先度クラスの低いデータ・パケットの送信を先取りすることができる。現在送信／再送信を実行中のデータ・パケットより優先度クラスの高いパケット１００がスケジューリング・ユニット３によって受け取られた場合、スケジューリング・ユニット３は送信機８に対して、優先度クラスの低いデータ・パケットの送信を打ち切るように命令することができる。さらにスケジューリング・ユニット３は、打ち切られたデータ・パケットについてＡＳＮ生成器７（以下で詳細に説明）に通知する。
【００３２】
送信シーケンス番号（ＴＳＮ）生成器６は、スケジューリング・ユニット３から送信用のデータ・パケットを受け取り、各データ・パケットに送信シーケンス番号を割り当てる。ＴＳＮ生成器６は、各優先度クラスに応じて送信シーケンスを追跡するが、あらゆる優先度クラスに１つの送信シーケンス番号が与えられる。ＴＳＮ生成器６は、受け取ったデータ・パケットが属する優先度クラスに関する送信シーケンスで、次のＴＳＮを割り当てる。具体的に言えば、ＴＳＮはデータ・パケット内の所定の位置に配置される。図１で説明したように、ＴＳＮはデータ・パケットのヘッダ部分の一部を形成することができる。
【００３３】
データ・パケットにＴＳＮを割り当てた後、ＴＳＮ生成器６はＴＳＮを増分し、この新しいＴＳＮが、その優先度クラスで次に受け取られたデータ・パケットに割り当てられる。好ましい実施形態では、ＴＳＮ生成器６は、たとえば０のＴＳＮを割り当てることによって始動し、ＴＳＮを１ずつ増分していく。
【００３４】
各優先度クラスに異なる送信シーケンスが関連付けられるため、特定の優先度クラスのデータ・パケットは、他の優先度クラスのデータ・パケットに割り当てられたＴＳＮとは無関係のＴＳＮを有することになる。その結果、優先度クラスの異なる２つのデータ・パケットが同じＴＳＮを有する可能性がある。
【００３５】
受取応答シーケンス生成器７は、受信側システム１３’からの情報に基づいて、受取応答シーケンス番号（ＡＳＮ）を生成し、生成されたＡＳＮをデータ・パケット内の所定の位置に挿入する。たとえば図１に示されるように、ＡＳＮはデータ・パケットのヘッダ部分の一部を形成することができる。宛先デバイスがデータ・パケットを受け取ったという受取応答をソース・デバイスが受け取ると、ソース・デバイスは送信用のデータ・パケットに受取応答シーケンス番号を挿入する。受取応答シーケンス番号は、受取応答されたデータ・パケットの送信シーケンス番号と同じである。受取り側では、宛先デバイスが、受取応答シーケンス番号と同じ送信シーケンス番号を有する紛失データ・パケットを、次の上位レイヤの処理、すなわち紛失データ・パケットが失われたことの確認のために出力されたものとして扱う。また、紛失データ・パケットはフラッシュされるため、正しく受け取られたデータ・パケットを高位レイヤに送達する際のどんなストール（立ち往生）も回避される。
【００３６】
さらに、データ・パケットの送信が打ち切られた場合、ソース・デバイスは受取応答シーケンス番号を送信用のデータ・パケットに挿入する。受取応答シーケンス番号は、打ち切られたデータ・パケットの送信シーケンス番号と同じである。したがって受信側では、宛先デバイスは、受取応答シーケンス番号と同じ送信シーケンス番号を有する打ち切られた紛失データ・パケットを、次の上位レイヤの処理のために出力されたものとして扱う。打ち切られた紛失データ・パケットはフラッシュされるため、ここでもストール状況は回避される。
【００３７】
受信側システム１３’はＵＥ　１４の受信側システム１３と同じ構造であるため、受信側システム１３については以下で詳細に説明するが、１３’については詳細に説明しない。ただし手短に言えば、受信側システム１３’は、適切に受け取られたことがユーザ機器１４によって受取応答されたデータ・パケットのＴＳＮおよびＰＣＩについてＡＳＮ生成器７に通知するという点が異なる。
【００３８】
ＡＳＮ生成器７は、受取応答されたデータ・パケットのＴＳＮに等しいＡＳＮを生成し、生成されたＡＳＮを、受取応答されたデータ・パケットの優先度クラス別に格納する。ＡＳＮ生成器７は、スケジューリング・ユニット３によって打ち切られたデータ・パケットのＴＳＮに等しいＡＳＮも生成する。具体的に言えば、スケジューリング・ユニット３は打ち切られたデータ・パケットをそのＴＳＮおよびＰＣＩによって識別し、ＡＳＮ生成器７は、打ち切られたデータ・パケットのＴＳＮに等しいＡＳＮを生成して、生成されたＡＳＮを打ち切られたデータ・パケットと同じ優先度クラスを有する他のＡＳＮと共に格納する。ＡＳＮ生成器７は、ＴＳＮ生成器６から送信用のデータ・パケットを受け取り、そのＰＣＩからその優先度クラスを識別する。次にＡＳＮ生成器７は、その優先度を有する格納されたＡＳＮを調べ、たとえば一実施形態では、最後にまたは最も新しく格納されたＡＳＮをデータ・パケットに挿入する。この方法では、ＡＳＮはデータ・パケット１００のヘッダ部分１１０に、後入れ先出しベースで挿入される。
【００３９】
送信機８はスケジューラ９からデータ・パケットを受け取り、このデータ・パケットを、デュプレクサー３１および１つまたは複数のアンテナＡｔを介して媒体１２を通じて送信するために、ＨＳ−ＤＳＣＨなどの移送チャネルに多重化する。受信側システム１３’が、ＵＥ　１４によって適切に受信されていないと識別したデータ・パケットの場合、送信機８はそのデータ・パケットを再送信する。さらに送信機８は、送信後、所定の期間でデータ・パケットを受け取ったという確認を受け取ることが予想される。こうした確認を受け取らない場合、送信機８はそのデータ・パケットを再送信する。さらに、データ・パケットが所定の回数だけ再送信された後、送信機８はそれ以上のどんな再送信も試行せずに、そのデータ・パケットを廃棄する。
【００４０】
ＵＥ　１４では、受信側システム１３が、１つまたは複数の受信アンテナＡｒおよびデュプレクサー１５を介してデータ・パケットを受け取る。受信機１６はデータ・パケットを復号してそのデータ・パケットを単一のバッファ２３に出力し、これがデータ・パケットを格納する。好ましい実施形態では、バッファ２３はランダム・アクセス・メモリである。受信機１６がデータ・パケットをバッファ２３に送信すると、受信機１６は、受け取ったデータ・パケットに関する受取応答を出力するように送信側システム１１’に指示する。受取応答は、受け取ったデータ・パケットをそのＰＣＩおよびＴＳＮによって識別し、データ・パケットが受け取られたことを示す。ただし、受信機１６がデータ・パケットを受け取ることができない（たとえば、データ・パケットを復号できない）場合、受信機１６は、そのデータ・パケットに関する非受取応答を送信するように送信側システム１１’に指示する。本実施形態では、非受取応答はデータ・パケットが正しく受け取られなかったことを示すものであり、送信機側の受取応答インジケータの送信と受信との間の前述の関連するタイミングにより、送信機は受け取られたデータ・パケットをそのＰＣＩおよびＴＳＮによって識別することができる。送信側システム１１’は、上記で詳細に説明した基地局１０内の送信側システム１１と同じ構造を有することができる。
【００４１】
ＵＥ　１４内の制御論理２５は、データ・パケットのＰＣＩおよびＴＳＮに基づいて、次の上位レイヤの処理のためにバッファ２３にデータ・パケットを出力させるものである。具体的に言えば、制御論理２５には各優先度クラスに関連付けられたカウンタ２７が含まれる。したがって、各優先度クラスにつき１つ、すなわちＮ個のカウンタ２７がある。カウンタ２７は、受け取られたパケット・データ内で次に予想されるＴＳＮのシーケンス通りの値に設定される。バッファ２３にいくつかのデータ・パケットがローディングされた後、制御論理２５は優先度クラス１についてそのデータ・パケットのＴＳＮを検査し、その優先度クラスのカウンタ２７と、受け取ったデータ・パケットの最低のＴＳＮに等しい値とを比較する。受け取ったデータ・パケットがその優先度クラスのカウンタ２７のカウント値に等しいＴＳＮを有する場合、カウンタ２７は増分される。この方法では、たとえデータ・パケットがユーザ機器１４によってシーケンス外れで受け取られた場合であっても、データ・パケットは次の上位レイヤのシステム処理にシーケンス通りに送信される。その後このプロセスは、同じ優先度クラスの他のデータ・パケットについて繰り返され、次に、各優先度クラスについても繰り返される。
【００４２】
さらに、他の優先度クラスのデータ・パケットに対して、それらの関連付けられたカウンタ２７を使用して同じ比較、出力、および増分プロセスが実行される。カウンタ２７のカウント値よりも大きいＴＳＮを有するデータ・パケットが受け取られると、カウント・ダウン・タイマ１９が開始される。制御論理２５は、カウンタがリセットされるか、またはカウンタ２７のカウント値と値ＳＮを有するパケット・データとの間のＴＳＮ値を有するすべてのパケット・データが受け取られるか、またはタイマが満了すると、カウンタ２７に関連付けられたカウント・ダウン・タイマ（たとえば１０秒）１９を初期設定する。ＳＮとは、タイマが開始される、受け取られたパケット・データのＴＳＮ値である。バッファ２３が、その優先度クラスのカウンタ２７のカウント値に等しいＴＳＮを有するデータ・パケットを受け取る前にカウント・ダウン・タイマ１９が満了すると、カウンタ２７は増分される。この方法では、たとえユーザ機器１４が順序外れのデータ・パケットを受け取った場合であっても、データ・パケットはシーケンス通りに次の上位レイヤのシステム処理に送られる。
【００４３】
さらに制御論理２５は、受け取ったデータ・パケット内の任意のＡＳＮを監視する。ある優先度クラスのカウンタ２７が、その優先度クラスに属する受け取ったデータ・パケットのＡＳＮと同じカウント値を有し、ＡＳＮに等しいＴＳＮを有するその優先度クラスのデータ・パケットがバッファ内に存在しない（たとえば見つからない）場合、制御論理２５は、その優先度クラスを有するデータ・パケットおよびＡＳＮに等しいＴＳＮを、次の上位処理レイヤに出力されたものとして扱う。すなわち、制御論理２５は、その優先度クラスに関連付けられたカウンタ２７を増分することになる。これにより、そのデータ・パケットは効率良くフラッシュされる。
【００４４】
以上、全体構造について述べてきたが、次に一実施形態に従ったフロー制御方法について、ＭＡＣ−ｈｓ　ＰＤＵ用のヘッダが付加される図３の流れ図を参照しながら説明する。最初に、スケジューラ９がＵＥ　１４にＴＳＮを割り当てる（ステップＳ３０）が、これはスケジューラ９の好適なアルゴリズムで実行可能である。次にスケジューラ９は、特定のフローに対する任意のフロー制御要求が、ＵＥ　１４から受け取られたかどうかをチェックする（ステップＳ３１）。フロー制御要求が受け取られている場合（ステップＳ３１で「はい」の場合）、ＴＳＮ生成器６は、ステップＳ３０でＵＥ　１４に割り当てられたＴＳＮを、ヘッダ１１０のＴＳＮ　１１２のフロー制御に対して事前に割り振られたＴＳＮ番号を介して、フロー制御ＡＣＫメッセージに置き換え（ステップＳ３２）、次にＡＳＮ生成器７はＡＳＮ番号の生成に進む（ステップＳ３４）。ＴＳＮ　１１２の単一の場所またはスペースは、帯域内フロー制御受取応答（ＡＣＫ）メッセージ用に割り振られると想定される。この実施形態の場合、フロー制御要求は、ＨＳ−ＤＳＣＨを介して現在のＭＡＣ−ｈｓ　ＰＤＵパケットでＵＥ　１４に送信されているものと同じデータ用である。
【００４５】
ＴＳＮの割当て後、ＵＥ　１４がフロー制御要求を送信しなかったと判定された場合（ステップＳ３１で「いいえ」の場合）、ＴＳＮ生成器６は現在のＴＳＮ値を増分し（ステップＳ３４）、この新しいＴＳＮが、その優先度クラスの次の受け取られたデータ・パケットに割り当てられる。好ましい実施形態では、ＴＳＮ生成器６は、図２に関して上記で論じたように、たとえば０のＴＳＮを割り当てることによって開始し、ＴＳＮを１ずつ増分する。
【００４６】
この第１のフロー制御実施形態の変形形態では、ＵＥ　１４からのフロー制御要求は、送信するデータのないフローまたはデータ・フロー優先度に関するものであってよい。フロー制御コマンドをＵＥ　１４に送信するために、次にＰＣＩフィールドが、ＵＥ　１４によって要求されたフロー用のＰＣＩに等しい値に設定される。要求されたＰＣＩフローにＰＣＩが設定された、ペイロードがゼロのＭＡＣ−ｈｓ　ＰＤＵは、ＰＣＩ値によって識別されたフローのフロー終了を示すＴＳＮ値と共にＵＥに送信することができる。
【００４７】
図２での説明と同様に、ＡＳＮ生成器７は、受信側システム１３’からの情報に基づいてＡＳＮを生成し（ステップＳ３４）、生成されたＡＳＮをデータ・パケットのヘッダ部分に挿入する（ステップＳ３５）。送信機８は、ＰＣＩと、有効な送信シーケンス番号のみを含むかまたはヘッダ１１０のＴＳＮ　１１２でのフロー制御用に事前に割り振られたスペーサを介したフロー制御ＡＣＫメッセージ（ステップＳ３２）を含むＴＳＮ　１１２と、スケジューラ９から生成されたＡＳＮ　１１３とを備えたデータ・パケットを受け取り、このデータ・パケットをＨＳ−ＤＳＣＨなどの移送チャネルに多重化し（ステップＳ３６）、デュプレクサー３１および１つまたは複数のアンテナＡｔを介して媒体１２を通じて送信する（ステップＳ３７）。
【００４８】
図４は、図３の実施形態に従った受信側機能を示す図である。ＵＥ　１４では、データ・パケットが受け取られ、受信機１６がＭＡＣ−ｈｓ　ＰＤＵデータ・パケットを復号し（ステップＳ４１）、このデータ・パケットを単一のバッファ２３に出力して、ここでこのデータ・パケットが格納される。図２と同様に、受信機１６がデータ・パケットをバッファ２３に送信すると、受信機１６は、受け取ったデータ・パケットに関する受取応答を出力するように、送信側システム１１’に指示する。
【００４９】
具体的に言えば、ＵＥ　１４は、ＭＡＣ−ｈｓ　ＰＤＵ（たとえばデータ・パケット）を受け取ると、ＭＡＣ−ｈｓ　ＰＤＵをアセンブル解除（たとえばステップＳ４１の復号）して、ＴＳＮフィールドからＴＳＮ値を取得する。次にＵＥ１４は、復号されたＴＳＮが、フロー制御要求を含まない有効なＴＳＮであるか否か、またはＵＥ　１４へのフロー制御信号方式用に割り当てられたＴＳＮ値であるか否かを判定する（ステップＳ４３）。ＴＳＮが有効な送信シーケンス番号である場合（ステップＳ４３で「いいえ」の場合）、送信側システム１１’は基地局１０に、そのＰＣＩおよびＴＳＮによって受け取ったデータ・パケットを識別し、データ・パケットが受け取られたことを示す、受取応答を送信する（ステップＳ４５）。ＴＳＮ値が、フロー制御に割り当てられたＴＳＮ値に等しい場合（ステップＳ４３で「はい」の場合）、ＵＥ　１４はこのＴＳＮを、ＰＣＩによって示されるフローが、ＵＥがそのフロー制御要求において要求した通りに制御されることになるというメッセージとして解釈する。この例では、その後フローは終了する（ステップＳ４７）。
【００５０】
図５は、本発明に従った方法の他の実施形態を示す図である。図５は、フロー制御用の帯域内信号方式受取応答データを挿入するためにヘッダのＴＳＮにスペースを割り振る代わりに、帯域内フロー制御受取応答データを生成するためにＡＳＮが使用される点を除いて、ある程度図３と同様である。
【００５１】
ＴＳＮ生成器６は、スケジューリング・ユニット３から送信用のデータ・パケットを受け取り、各データ・パケットに送信シーケンス番号を割り当てる（ステップＳ５０）。ＴＳＮ生成器６は、送信シーケンスで次のＴＳＮを割り当て（ステップ５１）、ＴＳＮを増分して、次に受け取られたその優先度クラスのデータ・パケットに新しいＴＳＮが割り当てられる。
【００５２】
図２での説明と同様に、ＡＳＮ生成器７は、受信側システム１３’からの情報に基づいてＡＳＮを生成する（ステップＳ５２）。ただし、フロー制御要求がＵＥからのアップリンクで受け取られている場合（ステップＳ５３で「はい」の場合）、ＡＳＮ生成器７は、ステップＳ５２で割り当てられたＡＳＮを、ＡＳＮ　１１３のフロー制御用に事前に割り振られたＡＳＮ番号を介してフロー制御ＡＣＫメッセージに置き換える（ステップＳ５４）。この実施形態では、帯域内フロー制御受取応答メッセージ用に１つまたは複数のスペースを割り振ることができるが、ＡＳＮスペース内の単一の場所が、帯域内フロー制御受取応答メッセージ用に割り振られるものと想定される。フロー制御要求が受け取られなかった場合（ステップＳ５３で「いいえ」の場合）、生成されたＡＳＮが挿入される（ステップＳ５５）。
【００５３】
送信機８は、スケジューラ９からの有効な受取応答シーケンス番号または帯域内フロー受取応答データのいずれかと共に、ＰＣＩ、ＴＳＮ、およびＡＳＮを備えたデータ・パケットを受け取り、このデータ・パケットをＨＳ−ＤＳＣＨなどの移送チャネルに多重化し（ステップＳ５６）、デュプレクサー３１および１つまたは複数のアンテナＡｔを介して媒体１２を通じて送信する（ステップＳ５７）。
【００５４】
この第２のフロー制御実施形態の変形形態では、ＵＥ　１４からのフロー制御要求は、送信するデータのないフローまたはデータ・フロー優先度に関するものであってよい。フロー制御コマンドをＵＥに送信するために、次にＰＣＩフィールドが、ＵＥによって要求されたフロー用のＰＣＩに等しい値に設定される。ペイロードがゼロのＭＡＣ−ｈｓ　ＰＤＵは、ＰＣＩ値によって識別されたフローのフロー終了を示すＡＳＮ値と共にＵＥに送信することができる。
【００５５】
図６は、図５の実施形態に従った受信側機能を示す図である。図６はある程度図４と同様である。ＵＥ　１４では、データ・パケットが受け取られ、受信機１６がデータ・パケットを復号し（ステップＳ６１）、このデータ・パケットを単一のバッファ２３に出力して、ここでこのデータ・パケットが格納される。ＵＥ１４は、ＭＡＣ−ｈｓ　ＰＤＵを受け取ると、ＡＳＮフィールドからＡＳＮ値を取得するためにＰＤＵをアセンブル解除する。ＡＳＮ値が有効な送信シーケンス番号である場合（たとえばフロー制御ＡＣＫメッセージがないか、またはステップＳ６３で「いいえ」の場合）、送信側システム１１’は、受け取ったデータ・パケットをそのＰＣＩおよびＴＳＮによって識別し、データ・パケットが受け取られたことを示す、受取応答を送信する（ステップＳ６５）。ＡＳＮ値が、フロー制御に割り当てられたＡＳＮ値に等しい場合（ステップＳ６３で「はい」の場合）、ＵＥ　１４はこのＡＳＮを、ＰＣＩによって示されるフローが、ＵＥがそのフロー制御要求において要求した通りに制御されることになるというメッセージとして解釈する。この好ましい実施形態では、ＵＥ　１４へのフローは終了する（ステップＳ６７）。
【００５６】
上記の各実施形態では、ＵＥ　１４によって解釈されるフロー制御ＡＣＫメッセージは、いくつかのタイプのフロー制御応答を含むことができる。たとえば、フロー制御ＡＣＫメッセージは、停止（Ｓｔｏｐ）、保留（Ｈｏｌｄ）、または再開（Ｒｅｓｔａｒｔ）、あるいはそれらの一部または全部の組合せのうちの１つを示す情報を含むことができる。フロー制御ＡＣＫメッセージが停止を示す場合、ＵＥ　１４は、フロー制御要求が受け取られたことおよび特定フロー（たとえば要求されたフロー）の送信が終了したことを示す情報を受け取る。フロー制御ＡＣＫメッセージが保留を示す場合、ＵＥ　１４は、フロー制御要求が受け取られたこと、ＵＥ　１４がフロー制御要求の送信を続行しなければならないこと、およびＵＥ　１４へのデータ・フローが今後もアクティブのままであることを示す情報を受け取る。フロー制御ＡＣＫメッセージが再開を示す場合、ＵＥ　１４は、データ・フローを再開するためのフロー制御要求がＢＳ　１０によって受け取られたこと、および宛先デバイスがＢＳ　１０からのデータ・フローの受取りを再開することを示す情報を受け取る。
【００５７】
したがって、上記の実施形態で実施されるフロー制御受取応答は、ＴＳＮフィールド内のＴＳＮスペースまたはＭＡＣ−ｈｓ　ＰＤＵパケット内のＡＳＮフィールドのいずれかを使用して、フロー制御受取応答メッセージを送る。ＵＭＴＳでのＨＳＤＰＡ規格などのような高速ダウンリンク伝送に関して実施されてきた従来の技術で簡単に説明したように、どちらの実施形態も、帯域内伝送強化の利点を活用した上記のようなダウンリンクでの帯域内信号方式を使用する。
【００５８】
以上、本発明について説明してきたが、多くの方法でその変形が可能であることは明らかであろう。たとえば、図２の論理ブロックおよび図３〜６の流れ図のブロックは、ハードウェアおよび／またはソフトウェアで実施可能である。ハードウェアおよび／またはソフトウェアの実施は、処理装置と製品の組合せを含むことができる。さらに製品は、記憶媒体、方法を実行するために処理装置によって読取られるコード部分を有するコンピュータ読取り可能媒体、および実行可能コンピュータ・プログラムを含むことができる。実行可能コンピュータ・プログラムは、方法で記述したオペレーションを実行するための命令を含むことができる。コンピュータ実行可能プログラムは、外部から供給される伝播信号の一部として提供することもできる。こうした変形例は、本発明の精神および範囲を逸脱するとみなされるものではなく、当分野の技術者であれば明らかなこうした修正形態はすべて、添付の特許請求の範囲内に含まれるものであると意図される。
【図面の簡単な説明】
【図１】本発明に従ったデータ・パケットの構造を示す図である。
【図２】本発明の一実施形態に従った送受信システムを示す論理構成図である。
【図３】本発明に従った方法の一実施形態を示す図である。
【図４】図３の実施形態に基づく受信機側の機能を示す図である。
【図５】本発明に従った方法の他の実施形態を示す図である。
【図６】図５の実施形態に基づく受信機側の機能を示す図である。
【符号の説明】
２　構文解析器
３　スケジューラ
４　バッファ
６　ＴＳＮ生成器
７　ＡＳＮ生成器
８　送信機
１１’　送信側システム
１３’　受信側システム
１５　デュプレクサー
１６　受信機
２３　バッファ
２５　制御論理
３１　デュプレクサー
＃１　上位レイヤへ
【図１】
2004048715.tif 000003
【図２】
2004048715.tif 000004
【図３】
2004048715.tif 000005
【図４】
2004048715.tif 000006
【図５】
2004048715.tif 000007
【図６】
2004048715.tif 000008